(57)【要約】      （修正有）【課題】第１、第２ハウジングが安定するように連接でき、材料が節約できるカードコネクタを提供する。【解決手段】電子カード２００が挿入されるカードコネクタ１００は、絶縁性本体と、前記絶縁性本体に挿入される複数の導電端子と、第１、第２ハウジング３，４とを備える。第１ハウジング３は、前記絶縁性本体の上を被覆し、第１基板と、前記第１基板から下向きに延在する第１側壁３２とを含む。第２ハウジング４は、前記絶縁性本体の下を被覆し、第２基板と、前記第２基板から上向きに延在する第２側壁４２とを含む。第１ハウジング３の第１側壁３２と第２ハウジング４の第２側壁４２とはレーザー溶解されることによって互いに連接される。【選択図】図１
0003147780.tif 000002
【実用新案登録請求の範囲】
【請求項１】
電子カードが挿入されるカードコネクタであって、
絶縁性本体と、
前記絶縁性本体に挿入される複数の導電端子と、
前記絶縁性本体の上を被覆し、第１基板と、前記第１基板から下向きに延在する第１側壁とを含む第１ハウジングと、
前記絶縁性本体の下を被覆し、第２基板と、前記第２基板から上向きに延在する第２側壁とを含む第２ハウジングと、
を備え、前記第１ハウジングの第１側壁と第２ハウジングの第２側壁とはレーザー溶接されることによって互いに半田接続されることを特徴とするカードコネクタ。
【請求項２】
前記第１側壁の上辺と第２側壁の下辺とは、互いに対応して接触してレーザー溶接されることを特徴とする請求項１に記載のカードコネクタ。
【請求項３】
前記第１、第２ハウジングには、それぞれ複数の第１、第２定位片が配置され、前記絶縁性本体には、前記第１、第２定位片と対応する複数の定位溝と固定溝とが形成されることを特徴とする請求項１に記載のカードコネクタ。
【請求項４】
前記カードコネクタは排出機構を有し、前記排出機構が、スライド溝を含んで前後に沿って移動可能なスライダーと、絶縁性本体とスライダーの間に配置されるバネ部材と、一端が前記スライド溝を移動するポールとを具備することを特徴とする請求項１に記載のカードコネクタ。
【請求項５】
前記第１ハウジングには、上向きに突出する細長い突出部が設けられ、前記排出機構のスライダーには、前記突出部と係合する凹溝が形成されることを特徴とする請求項４に記載のカードコネクタ。
【請求項６】
前記第１ハウジングには、第１ハウジングの後端から延在して前記スライダーの後方向の移動を制限する阻止壁が設けられ、前記阻止壁には前記ポールの他端を定位するための定位孔が形成されることを特徴とする請求項４に記載のカードコネクタ。
【請求項７】
前記スライダーには、前記阻止壁の内側に前記電子カードを導入するための導入部が設けられ、前記電子カードが導入部によって阻止壁と接触しないことを特徴とする請求項６に記載のカードコネクタ。
【請求項８】
前記スライダーには電子カードを保持するための保持壁が設けられ、前記導入部が保持壁から上向きに延在し、保持壁には前記電子カードと係合するための係合部片が設けられ、スライダーには前記前後方向と直交する方向に沿って延在して電子カードが当接する阻止部が設けられることを特徴とする請求項７に記載のカードコネクタ。
【請求項９】
前記カードコネクタが複数の検出端子を具備し、前記絶縁性本体が基部とビーム部とを有し、前記定位溝と固定溝とが前記基部に形成され、前記ビーム部には前記検出端子を収納するための収納溝が形成されることを特徴とする請求項３に記載のカードコネクタ。
【考案の詳細な説明】
【技術分野】
【０００１】
本考案は、コンピュータ、デジタルカメラ等各種電子機器に使用された電子カードが挿入されたカードコネクタに関するものである。
【背景技術】
【０００２】
従来技術のカードコネクタ構造として、特許文献１に開示されたカードコネクタが知られ、このカードコネクタは、絶縁性本体と、絶縁性本体に挿入される複数の導電端子と、絶縁性本体を被覆する金属製の第１、第２ハウジングとを備える。第１ハウジングは、第１基部と、前記第１基部から上向きに延在する第１側壁とを含む。第２ハウジングは、第２基部と、前記第２基部から下向きに延在する第２側壁とを含む。第１、第２ハウジングの第１、第２側壁には、それぞれ第１、第２係合部片が設けられる。第１、第２ハウジングが電気接続する時、第１、第２側壁が互いに重なるように取付し、第１、第２係合部片が互いに係合する。
【特許文献１】中国実用新案第２４９０７２２Ｙ号明細書
【考案の開示】
【考案が解決しようとする課題】
【０００３】
特許文献１に示すカードコネクタの第１、第２ハウジングの第１、第２係合部片が長期に使用されると破損し易くなる。第１、第２ハウジングは、この第１、第２係合部片が係合することによって連接されることによって、第１、第２ハウジングの間の連接が不安定になる。又、第１、第２係合部片が係合するため、第１、第２側壁が互いに重なるように取付される。これにより、第１、第２ハウジングを製造する材料が浪費される。
【０００４】
そこで本考案は、上述の従来技術の問題に鑑み、第１、第２ハウジングが安定するように連接でき、材料が節約できるカードコネクタを提供することを目的とする。
【課題を解決するための手段】
【０００５】
本考案の電子カードが挿入されるカードコネクタは、絶縁性本体と、前記絶縁性本体に挿入される複数の導電端子と、第１、第２ハウジングとを備える。前記第１ハウジングは、前記絶縁性本体の上を被覆し、第１基板と、前記第１基板から下向きに延在する第１側壁とを含む。前記第２ハウジングは、前記絶縁性本体の下を被覆し、第２基板と、前記第２基板から上向きに延在する第２側壁とを含む。前記第１ハウジングの第１側壁と第２ハウジングの第２側壁とはレーザー溶解されることによって互いに半田接続される。
【考案の効果】
【０００６】
従来の技術に比較して本考案は以下の効果を有する。第１、第２ハウジングの第１、第２側壁が、レーザー溶解されることによって連接される。この方法で連接される第１、第２ハウジングは安定するように連接される。又、レーザー半田接続された第１、第２側壁は、重なる必要がなくて、材料が節約できる。
【考案を実施するための最良の形態】
【０００７】
以下、この考案の実施の形態を添付の図を参照して説明する。
【０００８】
図１及び図４を参照すると、電子カード２００が挿入されるカードコネクタ１００は、絶縁性本体１と、絶縁性本体１に挿入される複数の導電端子２と、複数の検出端子５と、排出機構６と、絶縁性本体１を被覆する第１、第２ハウジング３，４とを備える。
【０００９】
図１〜図６に示すように、絶縁性本体１は、基部１０と、基部１０の一方の側から前向きに延在して底壁１６を含むビーム部１１とを有する。前記基部１０とビーム部１１とはＬ字状に構成される。基部１０には、前後に沿って延在する複数の端子溝１４が形成される。基部１０の上表面と下表面とには、それぞれ複数の固定溝１７と定位溝１２とが形成される。基部１０の前記一方の側と対向する他方の側には、後向きに延在する突出柱１３が設けられる。ビーム部１１には、前後に沿って延在する収納溝１５が形成される。
【００１０】
図４及び図５に示すように、導電端子２は、接触部２１と、尾部２３と、前記接触部２１と尾部２３との間に配置される固持部２２とを含む。
【００１１】
検出端子５は、構造が略同一である第１、第２検出端子５１，５２と、第３検出端子５３とを具備する。
【００１２】
排出機構６は、上表面に形成されるスライド溝６１２と下表面に形成される収容溝６１７とを含むスライダー６１と、前記スライダー６１のスライド溝６１２に移動可能に装着されるポール６２と、前記収容溝６１７に収容されるバネ体６３とを有する。スライダー６１には、一方の側からビーム部１１に向かって折曲られる阻止部６１５が設けられる。スライダー６１の底部には、電子カード２００を保持するため、係合部片６１４が設けられる保持壁６１３が配置される。スライダー６１の下表面には前記収容溝６１７と平行する凹溝６１１が形成される。保持壁６１１には上向きに延在する導入部６１６が設けられる。
【００１３】
第１ハウジング３は、第１基板３１と、第１基板３１から上向きに延在する一対の第１側壁３２と、第１基板３１の後端から折曲られる阻止壁３３と、第１基板３１から突出する細長い突出部３４と、第１基板３１の前端から上向きに突出する複数の第１定位片３５とを備える。前記阻止壁３３には定位孔３３５が形成される。
【００１４】
第２ハウジング４は、第２基板４１と第２基板４１から下向きに延在する第２側壁４２とを有する。第２基板４１の前端には下向きに突出する複数の第２定位片４５が設けられる。
【００１５】
図１〜図６に示すように、カードコネクタ１００を取り付ける時、先ず、第１ハウジング３が絶縁性本体１の下に装着される。絶縁性本体１には、前記基部１０とビーム部１１と第１ハウジング３によって包囲される収納スペース１８が形成される。複数の導電端子２が基部１０の端子溝１４に挿入される。導電端子２の接触部２１が収納スペース１８に収納される。次に、第１、第２、第３検出端子５１，５２，５３が絶縁性本体１の収納溝１５に収納される。排出機構６が第１ハウジング３の上に実装される。第１ハウジング３の突出部３４がスライダー６１の凹溝６１１に嵌合される。スライダー６１が、凹溝６１１と突出部３４との係合によって、第１ハウジング３に前後に沿って移動できる。阻止壁３３によってスライダー６１の後方向への移動が制限される。排出機構６のバネ体６３が絶縁性本体１の突出柱１３と排出機構６のスライダー６１との間に装着される。ポール６１の一端がスライダー６１のスライド溝６１２に移動可能に装着され、他端が第１ハウジング３の定位孔３３５に固定される。最後に、第２ハウジング４が絶縁性本体１を被覆する。第２ハウジング４の第２定位片４５が絶縁性本体１の固定溝１７に嵌合される。第１ハウジング３の第１側壁３２の上辺が、第２ハウジング４の第２側壁４２の下辺と対応して接触する。第１、第２ハウジング３，４の第１、第２側壁３２，４２は、四つの半田点でレーザー溶解されることによって半田接続される。
【００１６】
電子カード２００が導入部６１６の導入によって保持壁６１３に沿って収納スペース１８に挿入される。電子カード２００が、前記導入部６１６によって、阻止壁３３と接触しなくて、阻止壁３３に破損されない。挿入された電子カード２００が阻止部６１５を当接する。電子カード２００が更に前向きに押圧される時、阻止部６１５が推されることに伴ってバネ体６３が縮める。同時に、電子カード２００が導電端子２の接触部２１と接触する。排出機構６の係合部片６１４が電子カード２００に形成される凹所２０１と係合する。
【００１７】
第１、第２ハウジング３，４の第１、第２側壁３２，４２が、レーザー溶解技術で半田接続されることによって連接される。この方法で連接される第１、第２ハウジング３，４は安定するように連接される。又、レーザー溶解された第１、第２側壁３２，４２は、重なる必要がなくて、材料が節約できる。
【００１８】
以上、本考案について、最良の実施の形態を参照して詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１９】
【図１】本考案の電子カードとカードコネクタの斜視図である。
【図２】図１に示すカードコネクタの部分に分解斜視図である。
【図３】図２に示すカードコネクタの標号される部分の広大図である。
【図４】図１に示すカードコネクタの分解斜視図である。
【図５】図１に示すカードコネクタの別の分解斜視図である。
【図６】図１に示す組み立てられたカードコネクタの斜視図である。
【符号の説明】
【００２０】
１  絶縁性本体
１０  基部
１００  カードコネクタ
１１  ビーム部
１２  定位溝
１３  突出柱
１４  端子溝
１５  収納溝
１６  底壁
１７  固定溝
１８  収納スペース
２  導電端子
２００  電子カード
２０１  凹所
２１  接触部
２２  固持部
２３  尾部
３  第１ハウジング
３１  第１基板
３２  第１側壁
３３  阻止壁
３３５  定位孔
３４  突出部
３５  第１定位片
４  第２ハウジング
４１  第２基板
４２  第２側壁
４５  第２定位片
５  検出端子
５１  第１検出端子
５２  第２検出端子
５３  第３検出端子
６  排出機構
６１  スライダー
６１１  凹溝
６１２  スライド溝
６１３  保持壁
６１４  係合部片
６１５  阻止部
６１６  導入部
６１７  収容溝
６２  ポール
６３  バネ部材
【図１】
0003147780.tif 000003
【図２】
0003147780.tif 000004
【図３】
0003147780.tif 000005
【図４】
0003147780.tif 000006
【図５】
0003147780.tif 000007
【図６】
0003147780.tif 000008